(57)【要約】【課題】  簡易な構造で、地震等の揺れに対応でき、長尺物の引っ掛かりを防止するエレベーター装置の提供。【解決手段】  昇降路２内に設けられた長尺物と、昇降体と、昇降体の昇降路２内での昇降をガイドするガイドレール５,６と、昇降路２内に設けられる塔内機器を設置するためにガイドレール５,６に取り付けられたブラケット７とを備えたエレベーター装置において、昇降路２を上方から見た垂直投影において、ブラケット７の端部はブラケット７の延伸方向に存在する昇降路２の壁面１との間に間隔を有して配置されているとともに、ブラケットの延伸方向に存在する昇降路２の壁面１に、ブラケット７に対して昇降路２内の長尺物存在領域側でブラケット７と隙間１５を有して重複配置されるプロテクター１４を設け、ブラケット７とプロテクター１４の隙間１５は長尺物の断面最短長さ以下に設定されている。【選択図】  図２
2015218046.tif 000002
【特許請求の範囲】
【請求項１】
昇降路内に設けられた長尺物と、前記昇降路内を昇降する昇降体と、前記昇降体の前記昇降路内での昇降をガイドするガイドレールと、前記昇降路内に設けられる塔内機器を設置するために前記ガイドレールに取り付けられたブラケットと、を備えたエレベーター装置において、
前記昇降路を上方から見た垂直投影において、前記ブラケットの端部は前記ブラケットの延伸方向に存在する前記昇降路の壁面との間に間隔を有して配置されているとともに、前記ブラケットの延伸方向に存在する前記昇降路の前記壁面に、前記ブラケットに対して前記昇降路内の長尺物存在領域側で前記ブラケットと隙間を有して重複配置されるプロテクターを設け、
前記ブラケットと前記プロテクターの前記隙間は前記長尺物の断面最短長さ以下に設定されていることを特徴とするエレベーター装置。
【請求項２】
請求項１に記載のエレベーター装置において、前記プロテクターは断面Ｌ字状の形状をしており、前記ブラケットの長尺物存在領域側と下方を覆うように配置されていることを特徴とするエレベーター装置。
【請求項３】
請求項１または２のいずれかに記載のエレベーター装置において、前記ブラケットと前記プロテクターの前記隙間は前記長尺物の内、最短の断面長さを持つ長尺物の断面最短長さ以下に設定されていることを特徴とするエレベーター装置。
【発明の詳細な説明】
【技術分野】
【０００１】
本発明は、エレベーターの長尺物の引掛りを防止し得るエレベーター装置に関する。
【背景技術】
【０００２】
エレベーターの昇降路内にあっては、複数のブラケットがガイドレールに取付けられていると共に、このブラケットに、位置検出スイッチ、インダクタープレート、制御ケーブル等の機器が設置されている。また、エレベーターには、乗りかご及び釣合おもりを吊持する主ロープ、乗りかごに設けられたケーブル、及び調速機に備えられる調速機ロープ等の長尺物があり、地震等が発生した際、長尺物に揺れが生じてブラケットに引掛り、機器や長尺物を損傷する恐れがある。そこで、長尺物の引掛りを防止する背景技術として、下記特許文献１がある。
【先行技術文献】
【特許文献】
【０００３】
【特許文献１】特開２０１１−２６０２１号公報
【０００４】
特許文献１に記載された昇降路壁と突出機器との間を閉塞して引掛りを防ぐケーブル引掛り防止装置は、中空円筒に接続され、昇降路壁に連結される第１端と、中空円筒内で軸方向に摺動する摺動ロッドに接続され、突出機器に連結される第２端と、それらの間で互いにスライド式に嵌合した摺動嵌合部と、摺動ロッドを引き込み位置に偏倚するばねと、第１端および第２端間の距離を調節可能にする調節ねじ部とを備えている、と記載されている。
【発明の概要】
【発明が解決しようとする課題】
【０００５】
しかしながら、前述した特許文献１の技術では、地震等による第１端と第２端との間の距離及び角度の変化を吸収するための引掛り防止装置の構造が複雑であるという課題があった。
【０００６】
本発明は、前述した従来技術における実状からなされたもので、その目的は、簡易な構造で、地震等の揺れに対応できると共に、長尺物が引っ掛かることを防止する確実性を向上することのできるエレベーター装置を提供することにある。
【課題を解決するための手段】
【０００７】
前記目的を達成するために本発明にかかるエレベーター装置は、昇降路内に設けられた長尺物と、前記昇降路内を昇降する昇降体と、前記昇降体の前記昇降路内での昇降をガイドするガイドレールと、前記昇降路内に設けられる塔内機器を設置するために前記ガイドレールに取り付けられたブラケットと、を備えたエレベーター装置において、前記昇降路を上方から見た垂直投影において、前記ブラケットの端部は前記ブラケットの延伸方向に存在する前記昇降路の壁面との間に間隔を有して配置されているとともに、前記ブラケットの延伸方向に存在する前記昇降路の前記壁面に、前記ブラケットに対して前記昇降路内の長尺物存在領域側で前記ブラケットと隙間を有して重複配置されるプロテクターを設け、前記ブラケットと前記プロテクターの前記隙間は前記長尺物の断面最短長さ以下に設定されていることを特徴とする。
【発明の効果】
【０００８】
本発明によれば、簡易な構造で、地震等の揺れに対応できると共に、長尺物が引っ掛かることを防止する確実性を向上することのできるエレベーター装置を提供できる。
【図面の簡単な説明】
【０００９】
【図１】本発明に係るエレベーター装置の第１の実施例を示す平面図である。
【図２】図１におけるエレベーター装置の要部拡大平面図である。
【図３】本発明に係るエレベーター装置の第２の実施例における図２に対応する要部拡大図である。
【発明を実施するための形態】
【００１０】
以下、本発明の実施の形態を図面に示した実施例により説明する。
【実施例１】
【００１１】
図１は、本発明に係るエレベーター装置の第１の実施例を示す平面図である。本発明に係るエレベーター装置は、図１に示すように、昇降路壁１、すなわち前側壁１ａ、横側壁１ｂ、後側壁１ｃにより囲まれて形成される昇降路２と、この昇降路２内を昇降する昇降体である乗りかご３及びつり合いおもり４と、昇降路壁１に設けた図示しないレール支持部材を介して昇降路２内に上下方向に設置された左右一対のかご用ガイドレール５と、昇降路壁１に設けた図示しないレール支持部材を介して昇降路２内に上下方向に設置された左右一対のおもり用ガイドレール６とを備えている。そして、乗りかご３は、図示しないガイドシューを介してかご用ガイドレール５により案内されて上下方向に昇降移動すると共に、つり合いおもり４は、図示しないガイドシューを介しておもり用ガイドレール６により案内されて上下方向に昇降移動する。
【００１２】
かご用ガイドレール５には、本実施例においては少なくともある１つの昇降路壁１（本実施例では横側壁１ｂ）と略平行に延設されるブラケット７が支持されており、このブラケット７には、昇降路２内に設けられる塔内機器である例えばインダクタープレート８、調速機ロープ振れ止め９、制御ケーブルサポート１０、金網１１、制御箱１２、及び位置検出スイッチ１３が取付けられている。
【００１３】
また、第１の実施例では長尺物として、例えば乗りかご３やつり合いおもり４を吊持する図示しない主ロープ、乗りかご３に設けられたテールコード１７やケーブル、及び調速機ロープ１８が昇降路２内に設けられている。
【００１４】
このような本実施例のエレベーター装置において、昇降路２を上方から見た垂直投影において、ブラケット７の端部はブラケット７の延伸方向に存在する昇降路２の壁面１ａや壁面１ｃとの間に間隔を有して配置されているとともに、ブラケット７の延伸方向に存在する昇降路２の壁面１ａや壁面１ｃに、ブラケット７に対して昇降路２内の長尺物存在領域側、即ち乗りかご３等が存在する側でブラケット７と隙間１５を有して重複配置されるプロテクター１４を設けている。このプロテクター１４は昇降路２内の突出物に長尺物が引っ掛かることを防止する機能を有する。なお、図１に示すように、本実施例のプロテクター１４は、６つのブラケット７の両端、計６箇所に設けられている。
【００１５】
図２は図１におけるエレベーター装置の要部拡大平面図である。同図に示すようにプロテクター１４は、ブラケット７が伸張する方向に存在する昇降路壁１に、ブラケット７に対して長尺物の外形寸法よりも小さなすき間１５を設け、前記ブラケット７よりも近接する昇降体(かご３や釣合いおもり４)に近い側にラップするように設けられている。そしてブラケット７とプロテクター１４の隙間１５は長尺物の断面最短長さ以下に設定されている。
【００１６】
ここで長尺物の断面最短長さとは、例えば主ロープや調速機ロープ１８であればその断面直径であり、テールコード１７であれば断面方形の最短となる部分の長さである。ブラケット７とプロテクター１４の隙間１５は各々のプロテクター１４が設置された位置における最も近接する長尺物の断面最短長さ以下に設定してもよい。このように設定しても、長尺物のブラケット７への引っかかりを防止することが可能となる。また、隙間１５を昇降路２内に存在する全ての長尺物の内、最短の断面長さを持つ長尺物の断面最短長さ以下に設定してもよい。このように設定すれば、長尺物のブラケット７への引っかかりを防止する確実性が格段に向上される。
【００１７】
なお、本実施例において、プロテクター１４は図２に示すように締結材１６(例えばアンカーボルト)で昇降路壁１に固定されている。また、プロテクター１４の壁面１からの突出長さＬはブラケット７にラップするのに十分な長さである。
【００１８】
第１の実施例にあっては、プロテクター１４は、ブラケット７が伸張する方向に存在する昇降路壁１に、ブラケット７よりも近接する乗りかご３やつり合いおもり４等の昇降体に近い側にラップするように固定されている。これにより、地震等により長尺物である主ロープ、乗りかご３に設けられたテールコード１７やケーブル、及び調速機ロープ１８に揺れが生じても、ブラケット７の裏面側に回り込んで引っ掛かることを防ぐことができる。
【００１９】
また、プロテクター１４とブラケット７との間のすき間１５は、長尺物の外形寸法より小さいため、このすき間に長尺物が入り込み、ブラケット７の裏面側に回り込んで引っ掛ることもない。
【００２０】
さらに、プロテクター１４とブラケット７の間にすき間１５を設けることにより、地震等により昇降路壁１がブラケット７に対して変位しても、プロテクター１４とブラケット７の間のすき間１５で変位を吸収するため、ブラケット７が損傷することはない。
【００２１】
このように本実施例によれば、プロテクター１４は、ブラケット７が伸張する方向に存在する昇降路壁１に、ブラケット７に対して長尺物の外形寸法よりも小さなすき間１５を設け、ブラケット７よりも近接する昇降体である乗りかご３やつり合いおもり４に近い側にラップするように固定する構造であることから、簡易な構造とし、コスト低減を図ることができる。また、プロテクター１４は、断面方形の部材から形成することで、特別な資材を用いることなく、容易に製造することができる。
【００２２】
なお、本実施例においては、ブラケット７が横側壁１ｂと略平行に延伸する例を挙げて説明したが、本実施例のみに限られるものではない。即ちさまざまな方向に延伸するブラケット７に対しても、ブラケット７の延伸方向に存在する昇降路２の壁面１に、ブラケット７に対して昇降路２内の長尺物存在領域側でブラケット７と隙間を有して重複して配置されるプロテクター１４を設けてもよい。また、本実施例ではかご用ガイドレール５にブラケット７を設けた例を挙げて説明したが、おもり用ガイドレール６にブラケット７を設けてもよい。これらいずれの形態であっても、本発明の構成をとることで前述の効果を得ることができる。
【実施例２】
【００２３】
図３は、本発明に係るエレベーター装置の第２の実施例における図２に対応する要部拡大図である。本実施形態におけるエレベーター装置は実施例１で説明したものとほぼ同じ構成を有している。以下、実施例１と異なる点のみ説明する。
【００２４】
本実施例のプロテクター２４は、図３に示すように、ブラケット７が伸張する方向に存在する昇降路壁１に、ブラケット７に対して長尺物の外形寸法よりも小さなすき間１５を設け、ブラケット７よりも近接するかご３や釣合いおもり４等の昇降体に近い側にラップし、さらにブラケット７の下側も覆うように設けられている。即ち本実施形態におけるブラケット７は断面Ｌ字の形状をしている。
【００２５】
第２の実施例によれば、ブラケット７の下側も覆っていることから、プロテクター２４とブラケット７のすき間１５に長尺物が入り込むことをより完全に防ぐことができる。
【００２６】
また、建物が自重や経年的な影響で縮むことにより、昇降路壁１は、かご用ガイドレール５やおもり用ガイドレール６に対して、下側に変位する。このため、昇降路壁１に固定したプロテクター２４もブラケット７に対して下側に変位することになるが、プロテクター２４がブラケット７を覆っている部分が下側のみのため、プロテクター２４とブラケット７が当たることはない。その他、実施例２によれば、実施例１で説明したのと同様の効果を奏するものである。
【符号の説明】
【００２７】
１  昇降路壁、２  昇降路、３  乗りかご、４  つり合いおもり、５  かご用ガイドレール、６  おもり用ガイドレール、７  器具ブラケット、１４・２４  プロテクター
【図１】
2015218046.tif 000003
【図２】
2015218046.tif 000004
【図３】
2015218046.tif 000005